(57)【特許請求の範囲】
【請求項１】
支持脚と根太を組み付けた下地と長尺で一定幅を有した木質のデッキ材からなる屋外用ウッドデッキの、根太にデッキ材を装着するための取り付け金具であって、二個の金具を面対させた状態で組み合わせて一対となる分離金具をデッキ材の隙間と根太が直交する位置に配置し、両側のデッキ材に振り分けて装着し、さらに根太と分離金具の固定手段と解除手段とを設けたことを特徴とするデッキ材取り付け金具。
【請求項２】
根太と分離金具の固定手段が成されていない状態で、任意の位置のデッキ材の幅方向の片端を持ち上げることにより、持ち上げた側の分離金具が上下に離れながら、デッキ材は反対側の分離金具を中心とした上方向への回転動作を得、デッキ材を一枚単位で開閉することができることを特徴とする請求項１に記載のデッキ材取り付け金具。
【請求項３】
前記分離金具は、デッキ材の厚み中央位置に設けられた溝に挿入するつば部分とデッキ材間の隙間に位置する縦面部分と、根太に被せるコの字部分からなり、コの字部分の下方位置に支点を設け、分離金具のつば部分をデッキ材の溝に挿入し、コの字部分を根太上面に載せ、二個の分離金具を面対させて配置してデッキ材と分離金具を組み付け、この状態で縦面部分同士は重なっておらず、かつ両コの字部分の支点のみが当接するように構成したことを特徴とする請求項１又は２に記載のデッキ材取り付け金具。
【請求項４】
前記分離金具のデッキ材の隙間に位置する部分に、デッキ面と平行な平面部分を設けたことを特徴とする請求項１及至３いずれかに記載のデッキ材取り付け金具。
【請求項５】
前記固定手段として、板状で先端に突起部分とR面を有したL型アームと、偏芯部分と握り手部分を有したハンドル板からなり、２本のL型アームとハンドル板を回転自在に組みつけてなる偏芯固定金具を設け、デッキ材の隙間上部から分離金具に被せるように挿入し、L型アーム先端の突起部分を根太の下端部に引っ掛け、分離金具の平面部分に前記偏心部分の先端を当接し、ハンドル板と共に偏芯部分を回転させることにより分離金具と根太を引き付けて固定でき、さらにハンドル板を戻すことで解除できることを特徴とする請求項１及至４いずれかに記載のデッキ材取り付け金具。
【請求項６】
前記固定手段として、コの字形状で先端部分が弾性を有しているコの字固定金具を設け、コの字の両先端内面に突起部分もしくは複数の凹凸部分を備え、両先端内面間の内寸を根太の両下端部の外寸よりも短く設定し、分離金具に被せた状態で根太にコの字固定金具を押し込むことにより、コの字の両先端内面と根太の両下端部が弾性を持って係合し、一定の強度内で互いを保持でき、さらにコの字固定金具を引き抜くことで解除できることを特徴とする請求項１及至４いずれかに記載のデッキ材取り付け金具。
【請求項７】
前記固定手段にタッピングねじを用い、分離金具の平面部分にタッピングねじ挿入用切り欠き部分を設け、デッキ材の隙間の上部からタッピングねじ挿入用切り欠き部分を通して根太に直接螺合することにより根太と分離金具を固定でき、さらにタッピングねじを外すことにより解除できることを特徴とする請求項１及至４いずれかに記載のデッキ材取り付け金具。
【請求項８】
前記分離金具の支点位置が回転の中心になるように、二個の分離金具を回動自在に組み付けて丁番金具として構成し、並んでいるデッキ材の一列おきに同列には同種になるように交互に分離金具と丁番金具を装着し、デッキ材の丁番金具位置を上方向に持ち上げることにより丁番金具の両側に位置する分離金具が回転しながら離脱し、丁番金具を中心に両側のデッキ材が逆V字状に折れて、デッキ材二枚が同時に開くことを特徴とする請求項１及至７いずれかに記載のデッキ材取り付け金具。
【発明の詳細な説明】
【０００１】
【発明の属する技術分野】
本発明は開閉可能なデッキ材の取り付け金具に関するものである。
【０００２】
【従来の技術】
近年オープンスペースとして、屋外に設置されるウッドデッキが公共施設や住宅に多数取り入れられるようになってきており、特に公共施設において比較的広いスペースを有し、木製テーブルやチェアーなどを配備し、アウトドア的な行事等で多目的に使用されるものが増えてきている。これらのウッドデッキは図２２に示すように、ボルトに上下調整が可能なようにプレートを装着した支持脚と、該プレート上に載せて固定する根太からなる下地と、根太上面に載せて設置する硬質木材のデッキ材からなり、根太は鋼製根太で断面形状がハット型のものが主流である。またデッキ材は一定の幅で、長さ方向の厚み中央位置に連続した溝を有し、コーナー部分は小さい面取りが施されており、デッキ材を根太と直交する方向に並べて取り付け金具で固定する。
【０００３】
このときの根太とデッキ材の固定手段としては、図２３に示すように断面形状がH型の固定金具の下部面の片側に取り付け孔を設けておき、根太とデッキ材が交差する位置にH型固定金具を配置し、H型固定金具の取り付け孔のない方をデッキ材の溝に嵌め込み、取り付け孔にて根太にタッピングねじで固定する。さらにH型固定金具のタッピングねじを止めた側に次のデッキ材を嵌め込み、デッキ材の反対側をH型固定金具とタッピングねじで根太に固定し、上記作業を繰り返して連続して組みつけていく。つまり、根太に対してはH型固定金具のみをタッピングねじで固定することになり、デッキ材と根太の直接の固定手段はなく、H型固定金具上部のつば部分をデッキ材の溝にがたつきなく挿入させることで、間接的にデッキ材と根太が固定されることになる。
【０００４】
したがって施工後は並んだデッキ材の隙間はH型固定金具の縦面部分の厚み分だけが隙間となり、この隙間は床下の換気や湿気の防止に役立つために必要とされており、通常では４mm〜６mm程度のものが多い。またH型固定金具も取り付けのためのタッピングねじも施工後はデッキ面に露出しておらず意匠的に優れている。このH型固定金具はアルミの押し出し型材を短く切断したものや、ステンレス板を曲げてコの字にしたものを二個背中合わせに溶接したものなどが多く使われている。
【０００５】
【発明が解決しようとする課題】
しかしながら前述のようにウッドデッキ面には隙間が存在するためにウッドデッキ上で小さなものや薄いものを落とした時に隙間から床下に落ちてしまうことがある。その可能性のあるものとしては、硬貨や紙幣、指輪やネックレス、各種カード類等が考えられ、当然落ちたものは拾わなければならない。ところが従来の施工方法では、取り付け用のタッピングねじやH型固定金具はデッキ材と根太の間に完全に隠れた状態になっており、デッキ材を施工した後では全体を解体する以外にはデッキ材を取り外しできないことが大きな問題点として挙げられる。
【０００６】
このような場合に対処する方法としては、ウッドデッキの端から床下に大量の水を流して落ちたものを水と共に流しだす方法が用いられるが、この方法も実際にはそれほどの効果が期待できず、少し広い面積のウッドデッキでは手の施し様がない。また、部分的にH型固定金具を使用せずに、高さのみを合わせ、直接デッキ材の上面から長いタッピングねじにてデッキ材を貫通させて根太に固定する方法もあるが、ねじ頭が露出して意匠的によくないと共に、タッピングねじを抜き取ってデッキ材を持ち上げて外す作業は大変であり、また開けられる場所が限定されてしまい任意の場所を開けることは無理であり、同様に満足できないのが現状である。
【０００７】
さらに根太にはねじを螺合するための下孔加工はされておらず、先端がドリル状になっているスクリュータッピングねじを使用し、一工程で直接孔をあけつつ固定する施工方法がほとんどである。したがって鋼製の根太で肉厚が薄いものなどでは、タッピングねじのねじピッチとの関係上締め付けトルクを強くしすぎるとねじ山をつぶして空回りする危険性があり、根太の肉厚が厚いと作業性が悪くなることもあり、必ずしもねじによる固定が優れているわけではない。また施工後長期間使用するうちに一部のねじが緩んでしまい、その部分を歩くとデッキ材が浮き沈みして音なり等を引き起こすような問題や、部分的にデッキ材が破損してしまったような場合においてもその部分だけを補修したり、取り替えたりすることが簡単にできない。
【０００８】
本発明は上記事項を解決すべくなされたものであり、ウッドデッキの施工後に簡単な作業によりデッキ材と根太との固定手段を解除でき、さらに任意の位置でデッキ材の開閉や取り外しが可能となるデッキ材取り付け金具を提供することを目的とする。
【０００９】
【課題を解決するための手段】
本発明では上記目的を達成するために次の技術手段を設けた。デッキ材を根太に装着するための手段としては、二個の金具を組み合わせて一対となる分離金具を設け、面対した状態で並んだデッキ材に振り分けて装着する。該分離金具はデッキ材の長さ方向の厚み中央位置に設けられた溝に挿入するつば部分と、デッキ材間の隙間に位置する縦面部分と、根太の上面に被せて位置決めするコの字部分からなり、コの字部分を根太に被せた状態で、コの字部分の根太上面よりも下方位置に支点部分を設けておく。
【００１０】
次に分離金具のつば部分をデッキ材の溝に嵌め込んだ状態でコの字部分を根太の上面に被せて配置する。このときデッキ材の溝内をつば部分がガタツキなしに移動できる程度に溝の幅とつばの厚みを設定しておく。さらに隣接して配置されるデッキ材にも同様に分離金具を装着しておき、デッキ材を並べるとともに分離金具同士が面対し、互いのコの字部分の支点のみが当接するように配置する。このとき面対している分離金具の縦面部分は重なっておらず、互いの縦面部分が入り込めるように構成しておく。
【００１１】
上記の状態からデッキ材の幅方向の片端を持ち上げると、持ち上げた側の分離金具は互いに干渉することなく上下方向に離脱し、反対側の分離金具は、互いの縦面部分がデッキ材の隙間部分に入り込み、当接しているコの字部分の支点を中心とした回転動作になる。この動作により反対側のデッキ材の上部コーナーが隣接した位置のデッキ材の上部コーナーと当接するのであるが、この段階では持ち上げた側がある程度浮いた状態で、既に横方向にスペースを有しており、その後デッキ材を横方向に引き出す動作を付加しながらさらに回転させることにより、デッキ材は根太上を滑りながら回転動作を継続させることができ、完全にデッキ材を開けることが可能となる。
【００１２】
したがって使用するデッキ材の厚みと幅に対して、分離金具のコの字部分の支点の位置と、縦面部分の厚みや、デッキ材間の隙間寸法を設定するとよい。デッキ材を持ち上げるには、シャッター棒のような先端が鉤状になっているものでデッキ材の溝の長さ方向の中央位置付近を引っ掛け、最初は上方向にもちあげながら徐々に横方向に引っ張るようにすると円滑に開けることができる。
【００１３】
次に分離金具と根太を固定するのであるが、施工後に解除できることが条件となるために、固定のために使える範囲はデッキ材間の隙間部分になる。このような条件を満たす固定手段としては、根太と分離金具を固定金具で挟んだ状態から偏芯部分を回転させることにより互いを引き付けて固定する手段と、弾性を有した固定金具の先端に根太の下端部との係合部分を設け、一定の力以上で押し込むことにより弾性を利用して互いを保持する手段と、分離金具の隙間に位置する部分にタッピングねじ挿入用切り欠き部分を設け、デッキ材の隙間上部から直接タッピングねじにより根太と分離金具を固定する、タッピングねじによる固定手段とが考えられる。いずれの手段においても、デッキ材間の隙間を使用しなければならなく、分離金具の隙間に位置する部分と根太を固定することになるため、分離金具の隙間に位置する部分にデッキ面と平行な平面部分を設けておくとよい。
【００１４】
偏芯部分を回転させて、根太と分離金具を引き付けて固定する手段としては、板状のL型アームとハンドル板を設け、L型アームの片端部に突起部分とR面を、他端部にハンドル板を回動自在に装着する連結孔を設けておき、さらにハンドル板に連結孔を有した偏芯部分と握り手部分を設けておく。二個のL型アームをコの字形状になるように互いの連結孔を重ねて配置し、かつハンドル板の連結孔も重ねた状態でピンにより回転自在に組み付けて偏芯固定金具として構成する。このとき偏芯固定金具のL型アームとハンドル板が重なっているピン挿入部分の厚みがデッキ材の隙間に挿入できるように設定しておく。
【００１５】
次に偏芯固定金具を分離金具に被せるようにしてL型アームの両方の突起部分を根太の下端部に引っ掛けた状態で装着し、このとき偏芯部分は分離金具の平面部分に当接した状態になっており、ハンドル板を回転させると同時に偏芯部分も回転し、握り手部分がデッキ材の隙間に収納されながら根太と分離金具を引き寄せて固定する。
【００１６】
また弾性を利用した固定手段においては、デッキ材の隙間に挿入可能な厚みのコの字固定金具を設け、コの字の先端が弾性により若干のみ隙間方向に広がるように構成し、さらにコの字の両先端内面に細かい階段状の凹凸部分もしくは係合部分を設ける。コの字固定金具の先端内面間の内寸を根太の両下端部の外寸よりも少しだけ短くしておく。コの字固定金具を分離金具に被せ下方に押し込むことにより、両先端が僅かに開きながら根太の下端部に引っ掛かり、凹凸部分もしくは突起部分により一定の強度で抜け止め作用を得ることができる。また施工後にデッキ材の隙間からコの字固定金具を棒状のもので引っ掛けて外せるようにしておくとよい。
【００１７】
さらに固定手段としてタッピングねじを使用する場合は、先端がドリル状になっているスクリュータッピングねじを用い、分離金具の平面部分にタッピングねじ挿入用切り欠き部分を設け、タッピングねじの頭をデッキ材の隙間に挿入できるように小さくし、タッピングねじ挿入用切り欠き部分を通して根太上面に直接固定する。したがってタッピングねじによる固定手段では解除する時もタッピングねじを外すことになり、タッピングねじの本数を少なくするために面対した二個の分離金具を同時に一本のタッピングねじのつば面で固定できるようにすると、デッキ材の施工時や開閉時に工程を削減することができる。
【００１８】
上記のように構成することにより固定手段を解除後ウッドデッキの任意な場所を一枚単位で開閉し、かつ再固定することが可能となる。しかしながら一枚のデッキ材の幅は比較的狭く、一枚単位で開閉するよりも複数枚を同時に開閉するほうが広いスペースを開けたいときなどではより手間が少なくて済むことになる。
【００１９】
そこで次に複数枚のデッキ材を同時に開閉する手段を説明する。つば部分や縦面部分は前述の分離金具と同形状で、コの字部分の支点位置にて二個の分離金具を回動自在に連結させた形状の丁番金具を設け、並んでいるデッキ材の一列おきに交互に分離金具と丁番金具を同列には同種になるように配置して施工し、前述のいずれかの固定手段にて固定する。次に開けようとするデッキ材の固定手段を解除し、丁番金具付近の位置を上方向に持ち上げると、丁番金具の両側二箇所の分離金具が離れ、丁番金具を中心に二枚のデッキ材が逆V字状に折れて持ち上がる。この状態で、既にデッキ材両側の分離金具は離脱しており、ある程度持ち上がった位置からはデッキ材を横方向に引っ張る動作により二枚のデッキ材をたたむようにして開くことができる。上記のように構成することにより、さらに少ない作業で広いスペースを一度に開閉することが可能となる。
【００２０】
【発明の実施の形態】
以下図面に基づいて本発明の実施の形態を説明する。図１〜図７は第一実施形態を示し、図１は本発明の開閉機構付デッキ材取り付け金具を用いて施工したウッドデッキのデッキ材２８二枚を開けた状態の斜視図である。図１に示すように支持脚３４と根太３１からなる下地の上に厚み方向の中央位置に溝２９を有した木質のデッキ材２８を一定の隙間をもって並べ、根太３１にデッキ材２８を装着する手段としては、デッキ材２８と根太３１を連結する分離金具１と、分離金具１と根太３１を固定する固定手段とにより構成されている。
【００２１】
図２は根太上面３２に配置されたデッキ材２８と分離金具１を示す分解斜視図であり、二個で一対となるように面対させた分離金具１を根太３１とデッキ材２８の隙間３０が交差する全ての位置に配置し、片方ずつ両側のデッキ材２８に振り分けて装着する。図３はデッキ材２８を開けるときの軌跡を示した、デッキ材２８のこぐち方向から見た正面図である。さらにこの方向を正面とした場合での分離金具１の側面図を図４に、上面図を図５に示す。
【００２２】
分離金具１は図４及び図５に示すように、つば部分２と縦面部分３とコの字部分４からなり、図３に示すようにつば部分２をデッキ材２８の溝２９に挿入し、コの字部分４とつば部分２の間にデッキ材２８の溝２９から下部分をはめ込み、縦面部分３はデッキ材２８の隙間３０に位置し、コの字部分４を根太上面３２に被せて載せる。したがってデッキ材２８の溝２９の幅は、分離金具１の厚みよりも僅かに広くし、コの字部分４の幅も根太上面３２の幅より少しだけ広くしておくとよい。またこのとき縦面部分３の幅をコの字部分４の幅の半分弱に設定しておく。
【００２３】
図６は二個の分離金具１を面対させ、デッキ材２８のこぐち方向から見た正面図であり、図７は根太上面３２に分離金具１とデッキ材２８を配置した状態の上面図である。図６に示すようにコの字部分４の下部位置に支点５を設け、面対した分離金具１の支点５が互いに当接するように構成する。このとき支点５の先端位置がデッキ材２８の側面から突出する距離の二倍の距離がデッキ材２８間の隙間３０寸法となり、図７に示すようにデッキ材２８の隙間３０より縦面部分３の厚みを小さくしておく。
【００２４】
デッキ材２８に分離金具１を組み付けたときは、図６(a)に示す状態になっており、図６(a)の状態から片方の分離金具１のつば部分２を横方向に押すと、図７に示すように縦面部分３は互いに重なっておらず、コの字部分４の支点５のみが当接しているために、互いの縦面部分３がデッキ材２８との隙間３０に入り込み、図６(b)に示すように支点５を中心とした回転動作が得られる。
【００２５】
次に図７の状態でデッキ材２８と分離金具１を根太上面３２に連続して装着し、そのうちの一枚のデッキ材２８の片端を上方へ持ち上げたときの動作を図３に順を追って示す。図３(a)に示す状態からデッキ材２８の幅方向の片端を持ち上げると、図３(b)に示すように持ち上げた側の分離金具１は互いに干渉することなく上下に分離し、反対側の分離金具１は前述の図６(b)に示す動作になり、片端を持ち上げたデッキ材２８全体が反対側の分離金具１の支点５を中心とした回転運動になる。
【００２６】
次に図３(b)の状態で反対側の分離金具１が配置されているデッキ材２８の上部コーナー６同士が接触するのであるが、この段階で既に持ち上げた側の分離金具１はある程度浮いた状態になっており、上下に分離した分離金具１の横側の空間が大きくなっており、さらに持ち上げることにより図３(c)に示すように、上部コーナー６同士の接触点が下方にずれて下がりながら反対側の分離金具１が横にすべり、デッキ材２８全体としてはさらなる回転動作を得ることができ、図３(d)に示すようにデッキ材２８は完全に開くことになる。またデッキ材２８を閉じる際にはそのまま落とし込むだけでコの字部分４が根太３１に被さるために元の位置に戻すことができる。
【００２７】
つまり上記のようなデッキ材２８が開く動作を得るためには、使用するデッキ材２８の厚みと幅により、ある程度固有のコの字部分４の支点５の位置と、分離金具１の縦面部分３の厚みと、それに基づくデッキ材２８の隙間３０寸法を設定する必要がある。したがって分離金具１の縦面部分３同士が重ならず、デッキ材２８の隙間３０内でさらに互いに入り込むことが可能であり、当接する支点５の位置が根太上面３２よりも下方に位置することが条件になり、この条件を満たすならば分離金具１はどのような形状であってもよい。
【００２８】
別の形状の分離金具１の斜視図を第二実施形態として図８に示す。図８に示す分離金具１も上記の要因を満たしており、第一実施形態でのコの字部分４の替わりに縦面部分３を延長して下部をコの字状に切り欠き、根太３１の側面にはめ込むようにして装着する。また分離金具１の面上に構成された支点５が横方向に幅を有している点が特徴となり、加工においても形状が単純なために比較的安価に供給することができる。しかしながら第二実施形態での分離金具１は別の形状の金具が一個ずつにて一対になるために施工時に注意が必要になり、第一実施形態のほうが同一の金具を面対させて構成する点で施工が容易である。
【００２９】
またデッキ材２８を持ち上げる手段はどのようなものであってもよいが、最初は上方向に持ち上げ、デッキ材２８が開き始めると徐々に横方向に引っ張る動作が好ましいため、シャッター棒にように先端が鉤状になっている治具を設け、開けようとするデッキ材２８の長さ方向の中心位置付近の溝２９を引っ掛けて持ち上げると円滑に開けることが可能となる。
【００３０】
次に図７の状態でデッキ材２８の上部から分離金具１と根太３１を固定するのであるが、施工後に前述のようにデッキ材２８を開けるために、固定手段を解除する必要があり、したがって固定手段のために使用できる場所はデッキ材２８の隙間３０部分になる。このような条件を満たす固定手段としては、根太３１と分離金具１を挟んだ状態で偏芯部分１３を回転させることにより互いを引き付けて固定する手段と、弾性を有した固定金具の先端に根太３１の下端部３３との係合部分２３を設け、一定の力以上で押し込むことにより弾性を利用して互いを保持する手段と、分離金具１の隙間３０に位置する部分にタッピングねじ挿入用切り欠き部分２５を設け、デッキ材２８の隙間３０上部から直接タッピングねじ２４により根太３１と分離金具１を固定する、タッピングねじ２４による固定手段が考えられる。
【００３１】
上記固定手段のいずれにおいても根太３１と分離金具１のデッキ材２８の隙間３０に位置する部分を上下方向に引き付けて固定することになり、したがって図５及び図７に示すように分離金具１のデッキ材２８の隙間３０に位置する部分にデッキ面と平行な平面部分７を設けておくとよい。
【００３２】
前述の偏芯部分１３を回転させて互いをひきつける固定手段を第三実施形態として図９及び図１０に示す。図９に示すように２本のL型アーム８とハンドル板９からなり、L型アーム８には片端部先端にR面１０を、さらに片端部内面に突起部分１１を設け、他端部に連結孔１２を設けておく。またハンドル板９には片端部に偏芯部分１３と連結孔１２を、他端部に握り手部分１４を設け、偏芯部分１３は左右に二ヶ所設けておき、ハンドル板９の両偏芯部分１３間の先端は平坦面１５にしておく。２本のL型アーム８がコの字形状になり、中央位置からハンドル板９が立ち上がった状態でピン１６を２本のL型アーム８とハンドル板９の連結孔１２に差し込んで回動自在に組み付けて偏芯固定金具１７として構成する。
【００３３】
図１０(a)は図９の状態の上面図であり、L型アーム８とハンドル板９が重なった部分の厚みをデッキ材２８の隙間３０より薄くしておく。さらにハンドル板９の握り手部分１４を保持して図７の状態のデッキ材２８の隙３０間から分離金具１に被せるようにして偏芯固定金具１７を挿入すると、両L型アーム８の先端のR面１０が根太３１の下端部３３に当たり、両L型アーム８が開きながらさらに奥に差し込まれ、L型アーム８の突起部分１１を乗り越え２本のL型アーム８の開きが戻り、根太３１を挟み込んだ段階でほぼ同時にハンドル板９の平坦面１５が分離金具１の平面部分７に当接した図９に示す状態になる。
【００３４】
図９の状態から握り手部分１４をデッキ材２８の隙間３０に収納させながらハンドル板９を回転させると偏芯部分１３も回転し、左右どちらかの偏芯部分１３が下方に移動し、L型アーム８の突起部分１１と根太３１の下端部３３が係合し、互いを引き付けて固定させることができる。図１０(b)は固定した状態の上面図であり、この状態でハンドル板９の握り手部分１４をL型アーム８の横方向の長さより長くしておくと、解除の際に隙間３０から握り手部分１４の先端を引っ掛けて持ち上げることができ作業が容易になる。しかし図９の状態からハンドル板９をさらに上に持ち上げても、L型アーム８の突起部分１１と根太３１の下端部３３が係合したままであり、このままでは偏芯固定金具１７を外すことはできない。そこでL型アーム８に離脱用凹部分１８を設けておき、どちらか一方の離脱用凹部分１８を引っ掛けてL型アーム８の突起部分１１を根太３１の下端部３３から外し、ハンドル板９を引くことで偏芯固定金具１７を外すことができるようになる。
【００３５】
しかし第三実施形態での偏芯固定金具１７は二枚のL型アーム８とハンドル板９を重ねた状態でデッキ材２８の隙間３０に挿入するために、L型アーム８やハンドル板９の個々の板厚を比較的薄いものにしなければならなく、強度面で問題があるとともに、解除と離脱の際にハンドル板９を立ち上げて固定を解除し、さらに上に引っ張りながらL型アーム８の離脱用凹部分１８を引っ掛けて外すという、二つの操作をしなければならないという点にも問題が残されている。
【００３６】
したがって偏芯固定金具１７の上記問題を解消する別の形態を第四実施形態として図１１〜図１４に示す。２本のL型アーム８とハンドル板９からなり、L型アーム８の片端部のR面１０と突起部分１１と、ハンドル板９片端部の握り手部分１４は第三実施形態と同様であり、L型アーム８の他端部に連結孔１２を、ハンドル板９の他端部に連結孔１２と連結孔１２を中心とした円弧状孔１９を設け、さらに円弧状孔１９の側部に偏芯部分１３を設けておく。次に２本のL型アーム８は重ねず、つき合わせた状態にしてコの字形状にし、２本のピン１６にてL型アーム８の連結孔１２とハンドル板９の連結孔１２を、さらにもう一個のL型アーム８の連結孔１２とハンドル板９の円弧状孔１９を互いに回動可能に連結する。また両L型アーム８のつき合わせた上部を斜めにカットし、テーパー部分２０を設けておく。
【００３７】
上記のように組み付けることにより第四実施形態での偏芯固定金具１７は、一枚のL型アーム８とハンドル板９が重なるのみであり、個々の厚みを薄くすることなく全体の厚みを薄くすることが可能となる。図７の状態から第四実施形態の偏芯固定金具１７をデッキ材２８の隙間３０から分離金具１に被せるようにして差し込むと、図１１に示すようにL型アーム８のR面１０が第三実施形態と同様に根太３１の下端部３３に当たり、L型アーム８がテーパー部分２０を有しているために２本のL型アーム８は左右に開きながら図１２に示すように根太３１に嵌め込まれる。図１２の状態でL型アーム８の突起部分１１と根太３１の下端部３３が係合しており、ハンドル板９の偏芯部分１３先端が分離金具１の平面部分７に当接した状態になっている。
【００３８】
図１２の状態からハンドル板９を円弧状孔１９と連結されているL型アーム８側に回転させると第三実施形態と同様に、偏芯部分１３が下方に移動し、図１３に示すようにハンドル板９の握り手部分１４がデッキ材２８の隙間３０に収納されながら、根太３１と分離金具１を引き付けて固定することができる。
【００３９】
さらに固定の解除と偏芯固定金具１７の離脱においては図１４に示すように、ハンドル板９を立ち上げた後、そのままの動きでハンドル板９の握り手部分１４を固定の方向と逆の方向に回転させると、円弧状孔１９の下部位置とピン１６が係合し、L型アーム８のテーパー面２０を利用することにより円弧状孔１９と連結されている方のL型アーム８が持ち上がり、突起部分１１と根太３１の下端部３３が外れ、そのまま偏芯固定金具１７を離脱させることができる。つまり第四実施形態においては、L型アーム８同士は重ならず、全体の厚みを薄くでき、２本のL型アーム８は同形状でよく、さらに固定の解除と離脱が一操作で、かつ一貫した動作にて実施できる点に特徴がある。
【００４０】
また別の固定手段として、弾性を有しデッキ材２８の隙間３０に挿入可能な厚みのコの字固定金具２１を用いた形態を第五実施形態として図１５に示す。コの字固定金具２１自体が隙間３０方向に弾性を有し、図１５(a)に示すようにコの字の両先端内側に細かい階段状の凹凸部分２２を設けるか、もしくは図１５(b)に示すようにコの字の両先端内面に係合部分２３を設けることにより、デッキ材２８の隙間３０上部から分離金具１に被せるように押し込むことにより、コの字固定金具２１の両先端が僅かに開きながら根太３１の下端部３３に係合するように構成する。このとき根太３１の両下端部３３の外寸よりもコの字固定金具２１の両先端内面間の内寸を僅かに小さくしておくとよい。
【００４１】
したがって第五実施形態においてはコの字固定金具２１の凹凸部分２２や係合部分２３の引っ掛かりと弾性により根太３１と分離金具１を保持することになり、解除は押し込んだ力と同等の力でコの字固定金具２１を引き抜くことで可能となる。第五実施形態の固定手段は着脱の操作が非常に簡単で解りやすく、コの字固定金具２１の形状も単純なためコスト面で安価に提供できるという点が特徴である。
【００４２】
さらに固定手段にタッピングねじ２４を用いる形態を第六実施形態として図１６〜図１８に示す。図１６は第六実施形態での分離金具１の上面図であり、第一実施形態とほぼ同形状であるが、デッキ面と平行な平面部分７を二箇所に設け、一箇所は第一実施形態と同じ位置である中央位置に、もう一箇所は外側位置に設ける。さらに二箇所の平面部分７にタッピングねじ挿入用切り欠き部分２５を設けておく。第六実施形態での分離金具１を二個面対させた状態を図１７に示す。図１７(a)に示すように中央位置のタッピングねじ挿入用切り欠き部分２５同士が近接した状態になり、この位置のデッキ材２８の隙間３０上部からタッピングねじ２４を螺合することにより、タッピングねじ２４のつば面２６が両方の分離金具１の平面部分７を同時に押え付けることになり、一本のタッピングねじ２４で両方の分離金具１を固定することが可能となる。したがってタッピングねじ２４の頭部はドライバーで回せ、かつデッキ材２８の隙間３０に挿入できるように設定しておく必要がある。
【００４３】
また従来の固定方法と同様に先端がドリル状になっているスクリュータッピングねじを用いるとよく、図１８に示すようにタッピングねじ２４は根太上面３２のどの位置でも螺合でき、通常の施工では分離金具１の中央位置の平面部分７にてタッピングねじ２４一本のみで根太３１と分離金具１を固定しておくと作業工程が少なくて済む。また固定の解除においてはタッピングねじ２４を戻して抜き取ることにより可能になるのであるが、当然デッキ材２８を開いた後で再度閉じて再固定する必要がある。
【００４４】
しかし、再固定時にタッピングねじ２４の位置が抜き取った位置と完全に一致し、ねじ山をつぶすことなく再固定ができるとは限らず、若干位置がずれた場合などでは再固定が確実に行えないこともありえる。このような場合には図１７(b)に示すように前述の外側に位置する平面部分７に設けたもう一箇所のタッピングねじ挿入用切り欠き部分２５にタッピングねじ２４を螺合すればよい。つまり二箇所の新たな位置での固定が可能となり、中央位置を含めると三箇所での固定ができ確実な再固定をすることができる。またタッピングねじ挿入用切り欠き部分２５を複数にすることは、施工時に根太３１に分離金具１をねじ止めする際に、トルクが強すぎてねじ山を潰してしまい、タッピングねじ２４が空回りしてしまうような場合などにおいても有効である。
【００４５】
上記のように構成することにより、固定手段を解除後にウッドデッキの任意の位置でデッキ材２８一枚単位での開閉が可能となり、さらにデッキ材２８を閉じた後で、簡単な操作のみで再固定をすることができる。またデッキ材２８を連続して続けて開けてもよく、同じ場所に確実にデッキ材２８を戻せるようにさえしておけば、より広いスペースを同時に開けることも可能である。しかしながら広いスペースを開けておく場合では、デッキ材２８一枚の幅は比較的狭く一枚ずつ連続してデッキ材２８を開けるのは結構手間でも有り、開けた状態でデッキ材２８をそのまま保持しにくい点が挙げられる。
【００４６】
そこで複数枚のデッキ材２８を同時に開閉する手段を第七実施形態として図１９〜図２１に示す。図１９は第七実施形態でのデッキ材２８を開けた状態の斜視図であり、図２０はデッキ材２８を開ける動作をデッキ材２８のこぐち方向から見た正面図であり、図２１は隣接するデッキ材２８を一定間隔ずらして並べた場合での分離金具１と丁番金具２７の位置関係を示す上面図である。図２０に示すように、つば部分２や縦面部分３の形状は第一実施形態と同様で、コの字部分４の支点５位置にて面対する二個の分離金具１を回動自在にあらかじめ組み付けた形状の丁番金具２７を設ける。次に図２１に示すように並んでいるデッキ材の一列おきに交互に分離金具１と丁番金具２７を、同列には必ず同種になるように配置して施工する。
【００４７】
図２０(a)に示すように固定手段がなされておらず、デッキ材２８が閉じている状態から、デッキ材２８の丁番金具２７の位置付近を持ち上げると丁番金具２７は分離しないために、図２０(b)に示すように丁番金具２７が回転しながら両側のデッキ材２８が同時に持ち上がる。このとき丁番金具２７の両側に位置する分離金具１は第一実施形態と同様の軌跡にて分離し、図２０(c)に示すように丁番金具２７を中心に両側のデッキ材２８が逆V字状に折れて持ち上がる。デッキ材２８を完全に開ける動作としては、やはり最初は上方向へ持ち上げつつ次第に横方向に引き付けるようにするとよく、二枚のデッキ材２８を折りたたんだ状態にして同時に開けることができる。
【００４８】
図１９はデッキ材２８の二枚ずつ並んだ位置を左右に開けた状態を示しており、二回の操作で約四枚分弱のスペースを開けることができる。また丁番金具２７にも分離金具１と同様にデッキ材２８の隙間３０に位置する部分に平面部分７を設けておくことにより、第七実施形態においても固定手段は前述のどのような手段でも用いることができる。
【００４９】
しかしながら、第七実施形態においては図２１に示すようにデッキ材２８をずらして施工したり、長さが不均一である乱尺のデッキ材２８を使用する場合には、一枚のデッキ材２８に対して複数のデッキ材２８がずれた状態で並ぶことになり、このまま丁番金具２７にて列全体を連結すると一枚のデッキ材２８を持ち上げた時に複数枚のデッキ材２８が同時に連なって持ち上がってしまうことになり、開閉に支障をきたすことになる。したがって第七実施形態では図１９に示すように同じ長さのデッキ材２８を秩序正しく並べるとよく、このように構成することにより任意の位置でデッキ材２８を複数枚同時に開閉することができる。
【００５０】
また乱尺のデッキ材２８を無秩序に並べる場合には、第七実施形態においては任意の位置を開閉することは困難であるために、ウッドデッキの一部分に同じ長さのデッキ材２８を並べることにより開閉部分として特定し、このような部分をウッドデッキ上に何ヶ所か設けておくような構成にするとよい。また第七実施形態で特定した開閉部分のデッキ材２８に開閉用取っ手等を設け、より頻繁な開閉に対応させるようにすることで、ウッドデッキの床下を収納等で利用するような、また違った利用方法などに発展させることも可能である。
【００５１】
【発明の効果】
根太にデッキ材を装着する手段として、二個の金具を面対させた状態で組み合わせて一対となる分離金具を両側のデッキ材に振り分けて装着することにより、簡単な作業でウッドデッキの任意の位置をデッキ材一枚単位にて開閉することができ、さらに隣接するデッキ材を続けて開けることにより、広いスペースを同時に開けることも可能であり、デッキ材の隙間から落とした物を拾うことができると共に、部分的に破損したデッキ材を取り替えたりすることも容易に可能となる。
【００５２】
分離金具の、デッキ材の隙間に位置する部分に平面部分を設けることにより、偏芯固定金具で簡単に分離金具と根太を固定または解除できると共に、第四実施形態では、偏芯固定金具のハンドル板の握り手部分を持ち上げつつ回転させる一連の操作のみにて解除と離脱が可能となる。
【００５３】
固定手段にタッピングねじを用いる第六実施形態においては、固定金具が必要なく非常に安価に供給できると共に、複数のタッピングねじ挿入用切り欠き部分を設けたことにより、複数箇所での固定が可能となり、締め付けトルクが強すぎた時などにねじ山を潰してしまい、ねじが空回りして固定できなくなるような問題も解消することができる。
【００５４】
第七実施形態においては、丁番金具と分離金具をデッキ材の一列おきに交互に装着することにより、複数枚のデッキ材を一度の操作にて開けることが可能となり、より開閉の手間を省略することができると共に、ウッドデッキの一部分を開閉部分として特定して開閉用取っ手等を取り付け、さらに簡単に開けることができるようにすることにより、この部分の床下を収納庫として利用するような違った用途に発展させることも可能になる。
【図面の簡単な説明】
【図１】本発明のデッキ材取り付け金具を用いて施工したウッドデッキの斜視図である。
【図２】根太上面に本発明の分離金具とデッキ材を配置した状態の分解斜視図である。
【図３】本発明の分離金具によるデッキ材の開閉の軌跡をデッキ材のこぐち方向から見た正面図である。
【図４】第一実施形態の分離金具の側面図である。
【図５】第一実施形態の分離金具の上面図である。
【図６】第一実施形態の分離金具二個を面対させた状態を示す正面図である。
【図７】第一実施形態の分離金具二個を面対させ、デッキ材に装着した状態の上面図である。
【図８】第二実施形態の分離金具を示す分解斜視図である。
【図９】第三実施形態の偏芯固定金具を分離金具と根太に装着した状態の側面図である。
【図１０】第三実施形態の偏芯固定金具をデッキ材の隙間に挿入した状態の上面図である。
【図１１】第四実施形態の偏芯固定金具を根太に装着する状態を示す側面図である。
【図１２】第四実施形態の偏芯固定金具の突起部分が根太の下端部に係合した状態を示す側面図である。
【図１３】第四実施形態の偏芯固定金具で根太と分離金具を固定した状態の側面図である。
【図１４】第四実施形態の偏芯固定金具を離脱する状態を示した側面図である。
【図１５】第五実施形態のコの字固定金具を示す斜視図である。
【図１６】第六実施形態の分離金具の上面図である。
【図１７】        第六実施形態の分離金具二個を面対させた状態の上面図である。
【図１８】第六実施形態の分離金具と根太をタッピングねじで固定した状態の側面図である。
【図１９】丁番金具を用いた第七実施形態の、デッキ材を開けた状態の斜視図である。
【図２０】丁番金具を用いた第七実施形態の、デッキ材の開閉の軌跡をデッキ材のこぐち方向から見た正面図である。
【図２１】丁番金具を用いた第七実施形態の、デッキ材をずらして施工した状態の上面図である。
【図２２】従来のウッドデッキの斜視図である。
【図２３】従来のウッドデッキの施工順序を示す、デッキ材のこぐち方向から見た正面図である。
【符号の説明】
１      分離金具
２      つば部分
３      縦面部分
４      コの字部分
５      支点
６      上部コーナー
７      平面部分
８      L型アーム
９      ハンドル板
１０      R面
１１      突起部分
１２      連結孔
１３      偏芯部分
１４      握り手部分
１５      平坦面
１６      ピン
１７      偏芯固定金具
１８      離脱用凹部分
１９      円弧状孔
２０      テーパー部分
２１      コの字固定金具
２２      凹凸部分
２３      係合部分
２４      タッピングねじ
２５      タッピングねじ挿入用切り欠き部分
２６      つば面
２７      丁番金具
２８      デッキ材
２９      溝
３０      隙間
３１      根太
３２      根太上面
３３      下端部
３４      支持脚
【図１】
0004104838.tif 000002
【図２】
0004104838.tif 000003
【図３】
0004104838.tif 000004
【図４】
0004104838.tif 000005
【図５】
0004104838.tif 000006
【図６】
0004104838.tif 000007
【図７】
0004104838.tif 000008
【図８】
0004104838.tif 000009
【図９】
0004104838.tif 000010
【図１０】
0004104838.tif 000011
【図１１】
0004104838.tif 000012
【図１２】
0004104838.tif 000013
【図１３】
0004104838.tif 000014
【図１４】
0004104838.tif 000015
【図１５】
0004104838.tif 000016
【図１６】
0004104838.tif 000017
【図１７】
0004104838.tif 000018
【図１８】
0004104838.tif 000019
【図１９】
0004104838.tif 000020
【図２０】
0004104838.tif 000021
【図２１】
0004104838.tif 000022
【図２２】
0004104838.tif 000023
【図２３】
0004104838.tif 000024